(57)【要約】【課題】  複数のＩＰゲートウェイ装置を収容するＩＰ網とＩＳＤＮ網との間で発信番号により着信先を決定することを可能とする通信システムを提供する。【解決手段】  ＩＰ網２と、ＩＳＤＮ網３と、ＩＰ網２とＩＳＤＮ網３に接続されるＩＳＤＮ／ＩＰ通信装置１と、ＩＰ網２に接続されるＳＩＰサーバ４とを備えた通信システムにおいて、ＩＳＤＮ／ＩＰ通信装置１は、ＩＳＤＮ網３からの発信に付加された発番号と予め登録されたＩＰ網の宛先を対応させて記述した発番号−宛先検索テーブル、発信から発番号を抽出する手段、抽出した発番号を用いて発番号−宛先検索テーブルを検索する手段、発番号に対応したＩＰ網の宛先に発信する手段を備え、ＳＩＰサーバ４には、ＩＰ網の宛先のディスプレイネーム、ユーザーネーム、ＩＰアドレスが設定されており、ＩＳＤＮ／ＩＰ通信装置１は、発番号の一致があったときに対応するＩＰ網２の宛先に直接に着信を通知する。【選択図】      図１
2006197187.tif 000002
【特許請求の範囲】
【請求項１】
中継側にＩＰ網を収容し、低速側にＩＳＤＮ網を収容するＩＳＤＮ／ＩＰ通信装置において、
ＩＳＤＮ網からの発信に付加された発番号と予め登録されたＩＰ網の宛先のＩＰアドレスを対応させて記述した発番号−宛先検索テーブルと、
ＩＳＤＮ網からの発信から発番号を抽出する手段と、
抽出した発番号を用いて前記発番号−宛先検索テーブルを検索する手段と、
発番号に対応したＩＰアドレスを有するＩＰ網の宛先に発信する手段と
を備えたことを特徴とするＩＳＤＮ／ＩＰ通信装置。
【請求項２】
請求項１記載のＩＳＤＮ／ＩＰ通信装置において、
上記発番号−宛先検索テーブルには、発番号の全桁ないし任意の上位桁に対応してＩＰ網の宛先が登録されていることを特徴とするＩＳＤＮ／ＩＰ通信装置。
【請求項３】
請求項１または請求項２記載のＩＳＤＮ／ＩＰ通信装置において、
上記発番号−宛先検索テーブルには、１つの発番号に対して複数のＩＰ網の宛先のＩＰアドレスが記述されるとともに、当該発番号からの発信が順次あったときに複数のＩＰ網の宛先から１つのＩＰ網の宛先を順次選択することを特徴とするＩＳＤＮ／ＩＰ通信装置。
【請求項４】
請求項１ないし請求項３のいずれか１項記載のＩＳＤＮ／ＩＰ通信装置において、
上記発番号−宛先検索テーブルには、発番号に対応して、ＩＰ網の宛先のディスプレイネーム、ユーザーネームが記述されていることを特徴とするＩＳＤＮ／ＩＰ通信装置。
【請求項５】
複数のＩＰゲートウェイ装置が接続されるＩＰ網と、電話端末が接続されるＩＳＤＮ網と、前記ＩＰ網およびＩＳＤＮ網の双方に接続されるＩＳＤＮ／ＩＰ通信装置と、前記ＩＰ網に接続されるＳＩＰサーバとを備えた通信システムにおいて、
前記ＩＳＤＮ／ＩＰ通信装置は、ＩＳＤＮ網からの発信に付加された発番号と予め登録されたＩＰ網の宛先を対応させて記述した発番号−宛先検索テーブル、および、ＩＳＤＮ網からの発信から発番号を抽出する手段、および、抽出した発番号を用いて前記発番号−宛先検索テーブルを検索する手段、ならびに、発番号に対応したＩＰ網の宛先に発信する手段を備え、
前記ＳＩＰサーバには、ＩＰ網の宛先のディスプレイネーム、ユーザーネーム、ＩＰアドレスが設定されており、
ＩＳＤＮ／ＩＰ通信装置は、発番号の一致があったときに対応するＩＰ網の宛先に直接に着信を通知し、発番号の一致がなかったときに、ＳＩＰサーバを経由して着信をＩＰ網に通知することを特徴とする通信システム。
【請求項６】
請求項５記載の通信システムにおいて、
宛先のＩＰアドレスが分からなかったときにＳＩＰサーバを経由して着信をＩＰ網に通知することを特徴とする通信システム。
【発明の詳細な説明】
【技術分野】
【０００１】
本発明は、複数のＩＰゲートウェイ装置が接続されたＩＰ網とＩＳＤＮ網をＩＳＤＮ／ＩＰ通信装置を介して接続して、ＩＳＤＮ網の電話端末とＩＰ網のＩＰ端末との間でＶｏＩＰ通信を可能とした通信網において、ＩＳＤＮ網側の発信元の発番号によって着信宛先であるＩＰゲートウェイ装置を決定することができる、ＩＳＤＮ／ＩＰ通信装置に関する。
【背景技術】
【０００２】
従来、公衆回線からの着信時に通知される発信者番号から最適な内線端末または転送先端末へ自動転送する着信端末指定方式および転送前に転送先端末の状態を表示する転送先端末状態表示方式が提案されている。この技術は、発信元から着信宛先を決定する手法として、発信者番号によって通知された発番号に登録されている優先順位に従って着信内線端末を指定するようにした構内交換機を用いている（例えば、特許文献１参照）。
【特許文献１】特開２００３−７８９３４号公報
【発明の開示】
【発明が解決しようとする課題】
【０００３】
上記従来技術は、構内交換機であるため、着信後の呼に対して構内交換機に接続された着信先を決定することが可能であるが、ＩＰ網を使用した複数のＩＰゲートウェイ装置を収容するネットワークに対する着信宛先を決定することや、着信側の構内交換機の故障については配慮されていなかった。
【０００４】
本発明は、ＩＰ網を使用した複数のＩＰゲートウェイ装置を収容するＩＰ網とＩＳＤＮ網とを接続するＩＳＤＮ／ＩＰ通信装置において、ＩＳＤＮ側からの発信番号により着信先を決定してＩＰ網側のＩＰゲートウェイ装置へ発信を行い、ＩＳＤＮ網に接続された電話端末とＩＰ網に収容された特定のＩＰゲートウェイ装置に接続されるＩＰ端末間の通信を可能とすることを目的とする。
【０００５】
また、本発明は、上記ＩＳＤＮ／ＩＰ通信装置において、着信側のＩＰゲートウェイ装置が故障やメンテナンスの場合に、他の着信側ＩＰゲートウェイ装置に宛先を変更することを可能とすることを目的とする。
【課題を解決するための手段】
【０００６】
上記課題を解決する為に、本発明は、発信番号に対応した着信先のＩＰゲートウェイ装置を複数登録することにより、ＩＳＤＮ／ＩＰ通信装置において着信させようとするＩＰゲートウェイ装置を選択するようにした。
【０００７】
すなわち、本発明は、中継側にＩＰ網を収容し、低速側にＩＳＤＮ網を収容するＩＳＤＮ／ＩＰ通信装置において、ＩＳＤＮ網からの発信に付加された発番号と予め登録されたＩＰ網の宛先のＩＰアドレスを対応させて記述した発番号−宛先検索テーブルと、ＩＳＤＮ網からの発信から発番号を抽出する手段と、抽出した発番号を用いて前記発番号−宛先検索テーブルを検索する手段と、発番号に対応したＩＰアドレスを有するＩＰ網の宛先に発信する手段とを備えた。
【０００８】
本発明は、上記ＩＳＤＮ／ＩＰ通信装置において、上記発番号−宛先検索テーブルには、発番号の全桁ないし任意の上位桁に対応してＩＰ網の宛先を登録した。さらに、本発明は、上記ＩＳＤＮ／ＩＰ通信装置において、上記発番号−宛先検索テーブルには、１つの発番号に対して複数のＩＰ網の宛先のＩＰアドレスを記述するとともに、当該発番号からの発信が順次あったときに複数のＩＰ網の宛先から１つのＩＰ網の宛先を順次選択する。さらに、本発明は、上記ＩＳＤＮ／ＩＰ通信装置において、上記発番号−宛先検索テーブルに、発番号に対応して、ＩＰ網の宛先のディスプレイネーム、ユーザーネームを記述した。
【０００９】
本発明は、複数のＩＰゲートウェイ装置が接続されるＩＰ網と、電話端末が接続されるＩＳＤＮ網と、前記ＩＰ網およびＩＳＤＮ網の双方に接続されるＩＳＤＮ／ＩＰ通信装置と、前記ＩＰ網に接続されるＳＩＰサーバとを備えた通信システムにおいて、前記ＩＳＤＮ／ＩＰ通信装置は、ＩＳＤＮ網からの発信に付加された発番号と予め登録されたＩＰ網の宛先を対応させて記述した発番号−宛先検索テーブル、および、ＩＳＤＮ網からの発信から発番号を抽出する手段、および、抽出した発番号を用いて前記発番号−宛先検索テーブルを検索する手段、ならびに、発番号に対応したＩＰ網の宛先に発信する手段を備え、前記ＳＩＰサーバには、ＩＰ網の宛先のディスプレイネーム、ユーザーネーム、ＩＰアドレスが設定されており、ＩＳＤＮ／ＩＰ通信装置は、発番号の一致があったときに対応するＩＰ網の宛先に直接に着信を通知し、発番号の一致がなかったときに、ＳＩＰサーバを経由して着信をＩＰ網に通知する。
【００１０】
本発明は、上記通信システムにおいて、宛先のＩＰアドレスが分からなかったときにＳＩＰサーバを経由して着信をＩＰ網に通知する。
【発明の効果】
【００１１】
本発明によれば、中継側はＳＩＰプロトコルを使用し、通常はＳＩＰサーバを介して通信を行うが、ＩＳＤＮ網より付加された発番号とあらかじめ登録された発番号の一致により、対応した着信宛先のＩＰアドレスを決定し、ＳＩＰサーバを使用せずにダイレクトに対向ＩＰゲートウェイ装置との通信を行うことができ、ＳＩＰサーバの故障及びメンテナンス時の場合においても発信元によっては通信が可能となる。
【００１２】
さらに、本発明によれば、中継側にＩＰ網を収容し、低速側にＩＳＤＮ網を収容するＩＳＤＮ／ＩＰ通信装置において、低速側のＩＳＤＮ網より発信された場合、ＩＳＤＮ網より付加された発番号とあらかじめ登録された発番号の一致により、中継側のＩＰ網の宛先を決定する際、あらかじめ登録される発番号の登録件数は複数登録することができ、発番号の一致決定手段は登録された発番号の完全一致のみならず上位桁のみの一致によっても決定可能とすることによって、複数の発信元からも中継側のＩＰ網の宛先を決定することが可能となる。
【００１３】
本発明によれば、中継側にＩＰ網を収容し、低速側にＩＳＤＮ網を収容するＩＳＤＮ／ＩＰ通信装置において、低速側のＩＳＤＮ網より発信された場合、ＩＳＤＮ網より付加された発番号とあらかじめ登録された発番号の一致により、中継側のＩＰ網の宛先を決定し発信する際、あらかじめ登録された一つの発番号には中継側のＩＰ網の宛先を複数登録することができるため、発信するごとに登録されている次の中継側のＩＰ網の宛先を順番に選択し発信することにより、着信宛先を分散させることを可能とすると共に、着信宛先の故障及びメンテナンス時の場合においても別宛先に着信させ、発信元によっては通信が可能となる。
【００１４】
本発明によれば、中継側にＩＰ網を収容し、低速側にＩＳＤＮ網を収容するＩＳＤＮ／ＩＰ通信装置において、中継側はＳＩＰプロトコルを使用し、ＩＳＤＮ網より付加された発番号とあらかじめ登録された発番号の一致により、中継側のＩＰ網の宛先を決定する際、登録された発番号には対応した着信宛先のディスプレイネーム、ユーザーネームを設定可能とし、着信宛先のＩＰアドレスが分からない場合においてもＳＩＰサーバを使用することによって、発信元によっては通信が可能となる。
【００１５】
以上のように、本発明によれば、ＩＰ網における複数のＩＰゲートウェイ装置が接続されたＩＰ網とＩＳＤＮ網に接続された電話端末との間のＶｏＩＰの通信において、ＩＳＤＮ網側の発信元の発番号によってＩＰ網側の着信宛先を決定できるので、発信元は本来の相手ＩＰ端末を意識せずに対向通信を行うことができ、ＩＰゲートウェイ装置を特定する通信が可能となる。
【００１６】
すなわち、本発明によれば、ＩＳＤＮ網側からの発信を、発信番号に基づいてＩＰゲートウェイ装置に着信させ当該ＩＰゲートウェイ装置に収容されるＩＰ端末に接続することができるので、発信側は、着信側の地域を考慮することなく、例えば、東京地区、大阪地区、その他の地区のように発信地域ごと対応したＩＰ端末に着信することができ、発信側は、多数のＩＰ端末を収容したコールセンタのようなシステムに対して相手端末を意識することなく、ＩＳＤＮ／ＩＰ通信装置に対して発信するだけで、コールセンタ側の最適なＩＰ端末（例えば各地域担当のＩＰ端末）に着信することが可能となる。
【発明を実施するための最良の形態】
【００１７】
以下、図面を参照して本発明の第１の実施例を詳細に説明する。本発明の第１の実施例である発番号に対応する宛先が１箇所設定されている通信システムの構成例を説明する図１、本発明にかかるＩＳＤＮ／ＩＰ通信装置の回路構成の例を示す図２、本発明本発明にかかるＩＳＤＮ／ＩＰ通信装置が備える発番号−宛先検索テーブルの例を示す図３、本発明における接続シーケンスの例を示す図４を用いて、本発明の第１の実施例を説明する。
【００１８】
図１を用いて、電話端末が接続されるＩＳＤＮ公衆網と例えばテレホンショッピングコールセンタに設置されたＩＰ端末が接続されるＩＰ網とをＩＳＤＮ／ＩＰ通信装置を介して接続した通信システムの構成を説明する。この通信システムは、複数のＩＰゲートウェイ装置２１Ａ〜２１Ｃが接続されたＩＰ網２と、複数の電話端末３１Ａ〜３１Ｃが収容されるＩＳＤＮ網３とを、ＩＳＤＮ／ＩＰ通信装置１を介して接続して構成される。ＩＰ網２には、ＳＩＰサーバ４が接続され、さらに各ＩＰゲートウェイ装置２１Ａ〜２１Ｃには、それぞれＩＰ端末（ＩＰ電話端末もしくはＩＰ電話端末を収容するＩＰ構内交換機）２２Ａ〜２２Ｃが接続される。
【００１９】
ＩＳＤＮ／ＩＰ通信装置１とＩＰゲートウェイ装置２１Ａ〜２１Ｃ間およびＩＳＤＮ／ＩＰ通信装置１とＳＩＰサーバ４間は、ＳＩＰプロトコルによる接続を行う。
【００２０】
ＩＳＤＮ／ＩＰ通信装置１と電話端末（０３）３１Ａ〜電話端末（０３以外）３１Ｃ間は、Ｑ９３１の回線交換手順による接続を行う。
【００２１】
ＩＳＤＮ／ＩＰ通信装置１は、ＩＳＤＮ網における電話番号（契約番号ということがある）を有しており、ＩＳＤＮ網３を経由して電話端末３１からＳＥＴＵＰメッセージがあったときに、ＳＥＴＵＰメッセージに記述された発番号の先頭（例えば市外局番）を認識してＩＰ網２におけるＩＰゲートウェイ装置２１の宛先のＩＰアドレスに変換してＩＮＶＩＴＥメッセージとしてＩＰ網２に送出する働きを有している。
【００２２】
ＩＰ網２は、ＩＳＤＮ／ＩＰ通信装置１からのＩＮＶＩＴＥメッセージに記述されたＩＰアドレスを有するＩＰゲートウェイ装置２１へ着信させる網である。
【００２３】
ＩＰゲートウェイ装置２１Ａ〜２１Ｃは、発番号に含まれる市外局番に対応したＩＰ端末２２Ａ〜２２Ｃをそれぞれ収容しているＩＰゲートウェイ装置である。
【００２４】
ＩＰ端末（０３担当）２２Ａは、電話端末（０３）３１Ａからの着信に応答するＩＰ端末であり、ＩＰ端末（０６担当）２２Ｂは、電話端末（０６）３１Ｂからの着信に応答するＩＰ端末であり、ＩＰ端末（０３，０６以外担当）２２Ｃは、電話端末（０３，０６以外）３１Ｃからの着信に応答するＩＰ端末である。
【００２５】
電話端末（０３）３１Ａは、発番号の先頭すなわち市外局番が“０３”の電話機、電話端末３１Ｂは市外局番が“０６”の電話機、電話端末３１Ｃは市外局番が“０３”，“０６”以外の電話機である。
【００２６】
ＩＳＤＮ／ＩＰ通信装置１と電話端末３１Ａ〜３１Ｃは、ＩＳＤＮ網３の接続手順であるＱ９３１の回線交換手順による接続を行う。
【００２７】
ＩＳＤＮ／ＩＰ通信装置１とＩＰゲートウェイ装置２１Ａ〜２１Ｃ間およびＩＳＤＮ／ＩＰ通信装置１とＳＩＰサーバ４間はＳＩＰプロトコルによる接続を行う。
【００２８】
ＩＳＤＮ／ＩＰ通信装置１のより詳細な構成を、図２を用いて説明する。ＩＳＤＮ／ＩＰ通信装置１は、ＩＰ網インタフェース部（以下、ＩＰ網Ｉ／Ｆ部という）１１と、ＳＩＰプロトコル制御部１２と、宛先変換部１３と、登録部１４と、レイヤ３網通信制御部１５と、ＩＳＤＮインタフェース部（いか、ＩＳＤＮＩ／Ｆ部という）１６とを有して構成される。
【００２９】
ＩＰ網Ｉ／Ｆ部１１は、ＩＰ網２との通信を制御するインタフェースである。
【００３０】
ＳＩＰプロトコル制御部１２は、ＳＩＰプロトコルを制御する機能を有している。
【００３１】
宛先変換部１３は、ＩＳＤＮ網３から受信したＳＥＴＵＰメッセージに記述された発番号の先頭部の市外局番などからＩＰ網２の接続先となるＩＰゲートウェイ装置２１を特定してそのＩＰアドレスを得る手段であり、図３に示す発番号−宛先検索テーブル１３１と、レイヤ３網通信制御部１５で抽出した発番号の先頭部（例えば市外局番）を用いて発番号−宛先検索テーブル１３１を検索する機能、検索の結果に基づいてＳＥＴＵＰメッセージをＩＰ網における宛先ＩＰゲートウェイ装置２１の発番号に対応したＩＰアドレスとしたＩＮＶＩＴＥメッセージに変換する機能を有している。
【００３２】
登録部１４は、ＩＳＤＮ／ＩＰ通信装置１を構成するに必要な基本情報とともに発番号−宛先検索テーブル１３１の内容を登録する入力手段である。この場合の入力方法は、パネル操作等によって行うことができる。登録された情報は、図３に示す発番号−宛先検索テーブル１３１の形で宛先変換部１３内に格納される。
【００３３】
レイヤ３網通信制御部１５は、ＩＳＤＮ網３から受信したＳＥＴＵＰメッセージから発番号を抽出し、宛先変換部１３へ通知する働きを有している。
【００３４】
ＩＳＤＮＩ／Ｆ部１６は、ＩＳＤＮ網３との通信を制御するインタフェースである。
【００３５】
ＳＩＰサーバ４は、ＩＳＤＮ／ＩＰ通信装置１から受信したＳＩＰプロトコルから、ＩＰ端末のユーザネームアドレス、ディスプレイアドレスを得て当該ＩＰ端末のＩＰアドレスを得る機能を有している。
【００３６】
図４を用いて、ＩＳＤＮ網３に接続された電話端末（市外局番０３）３１ＡがＩＰ端末（市外局番０３担当）２２Ａと通話する場合の接続シーケンスを説明する。ＩＰ端末（０３担当）２２Ａを意識せずにＩＳＤＮ／ＩＰ通信装置１のＩＳＤＮ契約番号によって発信を行う。このとき電話端末（０３）３１Ａからの発信メッセージは、ＩＳＤＮ網３を介してＳＥＴＵＰメッセージによってＩＳＤＮ／ＩＰ通信装置１に通知される（Ｓ１）。
【００３７】
ＳＥＴＵＰメッセージを受信したＩＳＤＮ／ＩＰ通信装置１内のＩＳＤＮＩ／Ｆ部１６は、受信したメッセージが回線交換のメッセージであるためレイヤ３網通信制御部１５に通知するとともに、ＩＳＤＮ網側の仮応答であるＣＡＬＬ  ＰＲＯＣメッセージをＩＳＤＮ網３へ送出する（Ｓ２）。ＩＳＤＮＩ／Ｆ部１６から前記通知を受けたレイヤ３網通信制御部１５は、ＳＥＴＵＰメッセージ内から発番号を抽出し、その内容を含めた発信メッセージを宛先変換部１３に通知する。宛先変換部１３は、レイヤ３網通信制御部１５から通知された発番号と発番号−宛先検索テーブル１３１内の発番号との一致検索を行う。この際、レイヤ３網通信制御部１５から通知された発番号は、先頭“０３”番号を含む発番号であるため、発番号−宛先検索テーブル１３１内の発番号“０３”と一致し、“０３”の発番号に対応したユーザーネーム“１２３”、ディスプレイネーム“４５６”、ＩＰアドレス“１９２．１６８．０．２０１”を含めた発信メッセージをＳＩＰプロトコル制御部１２へ通知する。発信メッセージを受信したＳＩＰプロトコル制御部１２は、通知されたユーザーネーム、ディスプレイネーム、ＩＰアドレスによるＳＩＰプロトコルのＩＮＶＩＴＥメッセージを組み立て、ＩＰ網Ｉ／Ｆ部１１に通知する。通知を受けたＩＰ網Ｉ／Ｆ部１１は、ＩＮＶＩＴＥメッセージをＩＰ網２に送出する。
【００３８】
ＩＳＤＮ／ＩＰ通信装置１からＩＰ網２に送出されたＩＮＶＩＴＥメッセージは、ＩＰゲートウェイ装置２１ＡのＩＰアドレスを示しているため、ＩＰゲートウェイ装置２１Ａにダイレクトに送信される（Ｓ３、Ｓ４）。
【００３９】
ＩＰ網Ｉ／Ｆ部１１を介してＩＳＤＮ／ＩＰ通信装置１よりＩＮＶＩＴＥメッセージを受信したＩＰゲートウェイ装置２１Ａは、ＩＰ端末（０３担当）２２ＡにＩＰゲートウェイ装置２１ＡとＩＰ端末（０３担当）２２Ａ間のＩ／ＦにてＳＥＴＵＰメッセージを送信して着信を通知する（Ｓ７）とともに、仮応答“１００”をＩＰ網２を介してＩＳＤＮ／ＩＰ通信装置１へ返送する（Ｓ５，Ｓ６）。
【００４０】
ＩＰゲートウェイ装置２１ＡからＳＥＴＵＰメッセージにより着信を通知されたＩＰ端末（０３担当）２２Ａは、呼び出しを開始するとともに呼び出し中を示すＡＬＥＲＴメッセージをＩＰゲートウェイ装置２１Ａに送信する（Ｓ８）。ＡＬＥＲＴメッセージは、ＩＰゲートウェイ装置２１Ａ、ＩＰ網Ｉ／Ｆ部１１を介して“１８０”のメッセージにてＩＳＤＮ／ＩＰ通信装置１に送信される（Ｓ９，Ｓ１０）。
【００４１】
“１８０”のメッセージを受信したＩＳＤＮ／ＩＰ通信装置１内のＩＰ網Ｉ／Ｆ部１１は、それがＳＩＰプロトコルメッセージであるため、ＳＩＰプロトコル制御部１２に通知する。“１８０”のメッセージを受信したＳＩＰプロトコル制御部１２は、読み出しメッセージをレイヤ３網通信制御部１５へ通知し、レイヤ３網通信制御部１５は、回線交換のＡＬＥＲＴメッセージを組み立て、ＩＳＤＮＩ／Ｆ部１６へ通知し、ＩＳＤＮＩ／Ｆ部１６はＡＬＥＲＴメッセージをＩＳＤＮ網３へ送信する（Ｓ１１）。また、このときＩＰ網Ｉ／Ｆ部１１を介して受信される呼び出し音である音声データは、ＩＰ網Ｉ／Ｆ部１１、ＩＳＤＮＩ／Ｆ部１６にて音声データと認識され、ＩＰ網Ｉ／Ｆ部１１とＩＳＤＮＩ／Ｆ部１６間にて接続される。
【００４２】
ＩＳＤＮ網３を介して送信されたＡＬＥＲＴメッセージにより電話端末（０３）３１Ａは、呼び出し中を認識することができる。
【００４３】
ＩＰ端末（０３担当）２２Ａは、応答時にＩＰゲートウェイ装置２１Ａに対してＣＯＮＮＥＣＴを送信する（Ｓ１２）。
【００４４】
ＣＯＮＮＥＣＴを受信したＩＰゲートウェイ装置２１Ａは、“ＣＯＮＮＥＣＴ  ＡＣＫ”をＩＰ端末（０３担当）２２Ａに返送する（Ｓ１３）とともに、ＩＰ網Ｉ／Ｆ部１１を介して“２００ＯＫ”メッセージをＩＳＤＮ／ＩＰ通信装置１に送信する（Ｓ１４，Ｓ１５）。
【００４５】
“２００ＯＫ”メッセージを受信したＩＳＤＮ／ＩＰ通信装置１は、ＩＳＤＮ網３を介して電話端末（０３）３１ＡにＣＯＮＮＥＣＴを通知する（Ｓ１８）ことにより、ＩＰ端末（０３担当）２２Ａと電話端末（０３）３１Ａ間が通話状態となる。
【００４６】
このようにして、ＩＳＤＮ網３に接続された電話端末（０３）３１ＡからＩＳＤＮ／ＩＰ通信装置１へＩＳＤＮ網の電話番号を発信するだけでＩＰ端末（０３担当）２２Ａとの間で通話することができる。
【００４７】
図５を用いて電話端末（０６）３１ＢがＩＰ端末（０６担当）２２Ｂと通話をする場合について説明する。この場合もＩＳＤＮ／ＩＰ通信装置１は図３に示した発番号−宛先検索テーブル１３１を有しているものとする。電話端末（０６）３１Ｂは、ＩＰ端末（０６担当）２２Ｂと通話をするにあたり、ＩＰ端末（０６担当）２２Ｂを意識せずにＩＳＤＮ／ＩＰ通信装置１のＩＳＤＮ契約番号にて発信を行う。このとき電話端末（０６）３１Ｂよりの発信メッセージは、ＩＳＤＮ網３を介してＳＥＴＵＰメッセージにてＩＳＤＮ／ＩＰ通信装置１に通知される（Ｓ２１）。
【００４８】
ＳＥＴＵＰメッセージを受信したＩＳＤＮ／ＩＰ通信装置１内のＩＳＤＮＩ／Ｆ部１６は、受信したメッセージが回線交換のメッセージであるためレイヤ３網通信制御部１５に通知するとともに、ＩＳＤＮ網側の仮応答であるＣＡＬＬ  ＰＲＯＣメッセージをＩＳＤＮ網３へ送出する（Ｓ２２）。ＩＳＤＮＩ／Ｆ部１６から前記通知を受けたレイヤ３網通信制御部１５は、ＳＥＴＵＰメッセージ内から発番号を抽出し、その内容を含めた発信メッセージを宛先変換部１３に通知する。宛先変換部１３は、レイヤ３網通信制御部１５から通知された発番号と発番号−宛先検索テーブル１３１内の発番号との一致検索を行う。この際、レイヤ３網通信制御部１５から通知された発番号は、先頭“０６”番号を含む発番号であるため、発番号−宛先検索テーブル１３１内の発番号“０６”と一致し、“０６”の発番号に対応したユーザーネーム“５６７”、ディスプレイネーム“８９０”、ＩＰアドレス“なし”を含めた発信メッセージをＳＩＰプロトコル制御部１２へ通知する。発信メッセージを受信したＳＩＰプロトコル制御部１２は、通知されたユーザーネーム、ディスプレイネーム、ＩＰアドレスによるＳＩＰプロトコルのＩＮＶＩＴＥメッセージを組み立てる。ただし、このときのＩＮＶＩＴＥを送信する相手はあらかじめ設定されている基本情報をもとに、ＳＩＰサーバ４となるように組み立てを行ないＩＰ網Ｉ／Ｆ部１１に通知する。通知を受けたＩＰ網Ｉ／Ｆ部１１は、ＩＮＶＩＴＥメッセージをＩＰ網２に送信する（Ｓ２３）。ＩＮＶＩＴＥメッセージは、宛先としてＳＩＰサーバ４を示しているため、ＳＩＰサーバ４で受信される。
【００４９】
ＩＮＶＩＴＥメッセージを受信したＳＩＰサーバ４は、内部に設けたユーザーネームおよびディスプレイネームとＩＰアドレスの対応を記述したテーブルを参照して宛先のＩＰアドレスを決定した（この例では、ＩＰゲートウェイ装置２１ＢのＩＰアドレス）後、ＩＰアドレスを搭載したＩＮＶＩＴＥメッセージをＩＰゲートウェイ装置２１Ｂに送信する（Ｓ２４）。
【００５０】
ＩＮＶＩＴＥメッセージを受信したＩＰゲートウェイ装置２１Ｂは、仮応答“１００”をＳＩＰサーバ４を介してＩＳＤＮ／ＩＰ通信装置１へ返送する（Ｓ２５，Ｓ２６）とともに、ＩＰ端末（０６担当）２２Ｂに対してＳＥＴＵＰメッセージを送信して着信を通知する（Ｓ２７）。
【００５１】
ＩＰゲートウェイ装置２１Ｂから着信を通知されたＩＰ端末（０６担当）２２Ｂは、呼び出しを開始するとともに呼び出し中を示すＡＬＥＲＴメッセージをＩＰゲートウェイ装置２１Ｂに送信する（Ｓ２８）。
【００５２】
ＡＬＥＲＴメッセージは、ＩＰゲートウェイ装置２１Ｂにおいて“１８０”のメッセージとされ、ＩＰ網２を介してＳＩＰサーバ４に送信され（Ｓ２９）、ＳＩＰサーバ４からＩＰ網２を介してＩＳＤＮ／ＩＰ通信装置１に送信される（Ｓ３０）。
【００５３】
ＩＳＤＮ／ＩＰ通信装置１にて受信された“１８０”のメッセージは、ＡＬＥＲＴメッセージに変換され、前記した電話端末（０３）３１Ａの場合と同様の経路を辿り、ＩＳＤＮ網３を介して電話端末（０６）３１Ｂに送信され（Ｓ３１）、電話端末（０６）３１Ｂは、呼び出し中を認識することができる。
【００５４】
ＩＰ端末（０６担当）２２Ｂは、応答時にＩＰゲートウェイ装置２１Ｂに対してＣＯＮＮＥＣＴを送信する（Ｓ３２）。ＣＯＮＮＥＣＴを受信したＩＰゲートウェイ装置２１Ｂは、“ＣＯＮＮＥＣＴ  ＡＣＫ”をＩＰ端末（０６担当）２２Ｂに返送する（Ｓ３３）とともに、ＩＰ網２を介して“２００ＯＫ”メッセージをＳＩＰサーバ４に送信し（Ｓ３４）、ＳＩＰサーバ４はＩＰ網２を介して“２００ＯＫ”メッセージをＩＳＤＮ／ＩＰ通信装置１に送信する（Ｓ３５）。
【００５５】
“２００ＯＫ”メッセージを受信したＩＳＤＮ／ＩＰ通信装置１は、ＩＰ網２を経由してＳＩＰサーバ４にＡＣＫを送信する（Ｓ３６）とともにＩＳＤＮ網３を介して電話端末（０３）３１ＢにＣＯＮＮＥＣＴを通知する（Ｓ３８）。ＩＳＤＮ網３からはＣＯＮＮＥＣＴ  ＡＣＫが返送される（Ｓ３９）。ＩＰ網２からＡＣＫを受信したＳＩＰサーバ４はＡＣＫをＩＰゲートウェイ２１Ｂに転送する（Ｓ３７）。
【００５６】
このようにして、ＩＰ端末（０６担当）２２Ｂと電話端末（０６）３１Ｂ間が通話状態となる。
【００５７】
同様に、電話端末（０３，０６以外）３１Ｃが、ＩＰ端末（０３，０６以外担当）２２Ｃと通話するにあたり、ＩＰ端末（０３，０６以外担当）２２Ｃを意識せずにＩＳＤＮ／ＩＰ通信装置１のＩＳＤＮ契約番号にて発信を行うことにより、電話端末（０３，０６以外）３１ＣとＩＰ端末（０３，０６以外担当）２２Ｃとの間で通話することができる。このとき電話端末（０３，０６以外）３１Ｃからの発信メッセージは、ＩＳＤＮ網３を介してＳＥＴＵＰメッセージにてＩＳＤＮ／ＩＰ通信装置１に通知される。
【００５８】
前記した電話端末（０６）３１Ｂと同様の経路を辿り、発信メッセージを通知された宛先変換部１３は、レイヤ３網通信制御部１５から通知された発番号と発番号−宛先検索テーブル１３１内の発番号との一致検索を行う。この際、レイヤ３網通信制御部１５から通知された発番号は、先頭“０３”，“０６”以外の番号を含む発番号であるため、図３に示した発番号−宛先検索テーブル１３１内の発番号とは一致しないので、ユーザーネーム“なし”、ディスプレイネーム“なし”、ＩＰアドレス“なし”を含めた発信メッセージをＳＩＰプロトコル制御部１２へ通知する。発信メッセージを受信したＳＩＰプロトコル制御部１２は、ＳＩＰプロトコルのＩＮＶＩＴＥメッセージの組み立てを行い、ＩＰ網Ｉ／Ｆ部１１に通知する。ＳＩＰプロトコル制御部１２は、ユーザーネームおよびディスプレイネームを含むＩＮＶＩＴＥを送信する相手としてあらかじめ設定されている基本情報をもとに、ＳＩＰサーバ４となるように組み立てを行う。通知を受けたＩＰ網Ｉ／Ｆ部１１は、ＩＮＶＩＴＥメッセージをＩＰ網２に送信する。
【００５９】
ＩＳＤＮ／ＩＰ通信装置１から送信された宛先にＳＩＰサーバ４を示しているＩＮＶＩＴＥメッセージを受信したＳＩＰサーバ４は、内部に設けたユーザーネームおよびディスプレイネームとＩＰアドレスの対応を記述したテーブルを参照して宛先のＩＰアドレスを決定した（この例では、ＩＰユーザネームおよびディスプレイアドレスの記述がないので、ゲートウェイ装置２１ＣのＩＰアドレスと決定するように設定されている）後、このＩＰアドレスを搭載したＩＮＶＩＴＥメッセージをＩＰゲートウェイ装置２１Ｃに送信する。
【００６０】
ＩＰ網２、ＳＩＰサーバ４を介してＩＳＤＮ／ＩＰ通信装置１からＩＮＶＩＴＥメッセージを受信したＩＰゲートウェイ装置２１Ｃは、ＩＰ端末（０３，０６以外担当）２２ＣにＩＰゲートウェイ装置２１ＣとＩＰ端末（０３，０６以外担当）２２Ｃ間のＩ／Ｆにて着信を通知する。ＩＰゲートウェイ装置２１Ｃより着信を通知されたＩＰ端末（０３，０６以外担当）２２Ｃは、呼び出しを開始するとともに呼び出し中を示すＡＬＥＲＴメッセージをＩＰゲートウェイ装置２１Ｃに送信する。ＡＬＥＲＴメッセージは、ＩＰゲートウェイ装置２１Ｃ、ＩＰ網３、ＳＩＰサーバ４を介して“１８０”のメッセージにてＩＳＤＮ／ＩＰ通信装置１に送信される。
【００６１】
ＩＳＤＮ／ＩＰ通信装置１にて受信された“１８０”のメッセージは前記した電話端末（０３）３１Ａの場合と同様の経路を辿り、ＩＳＤＮ網３を介して送信されたＡＬＥＲＴメッセージにより電話端末（０３，０６以外）３１Ｃに送信され、電話端末（０３，０６以外）３１Ｃは、呼び出し中を認識することができる。
【００６２】
ＩＰ端末（０３，０６以外担当）２２Ｃは、応答時にＩＰゲートウェイ装置２１Ｃに対してＣＯＮＮＥＣＴを送信する。その後ＡＬＥＲＴと同様にＩＰゲートウェイ装置２１Ｃ、ＩＰ網２、ＳＩＰサーバ４、ＩＰ網２、ＩＳＤＮ／ＩＰ通信装置１、ＩＳＤＮ網３を介して電話端末（０３，０６以外）３１ＣにＣＯＮＮＥＣＴが通知されてＩＰ端末（０３，０６以外担当）２２Ｃと電話端末（０３，０６以外）３１Ｃ間が通話状態となる。
【００６３】
本発明の第２の実施例を説明する。この実施例は、発番号に対応する宛先が２箇所設定されている構成例である。図６を用いて、この実施例における通信システムの構成を説明する。図７は、この実施例における発番号−宛先検索テーブルの例を説明する図である。
【００６４】
図６において、この通信システムは、複数のＩＰゲートウェイ装置２１Ａ〜２１Ｃが接続されたＩＰ網２と、複数の電話端末３１Ａ、３１Ｃが収容されるＩＳＤＮ網３とを、ＩＳＤＮ／ＩＰ通信装置１を介して接続して構成される。ＩＰ網２には、ＳＩＰサーバ４が接続され、さらに各ＩＰゲートウェイ装置２１Ａ〜２１Ｃには、それぞれＩＰ端末（ＩＰ電話端末もしくはＩＰ電話端末を収容するＩＰ構内交換機）２２Ａ、２２Ｃが接続される。図１に示した実施例に比較して、この実施例の特徴点は、電話端末３１が、市外局番“０３”を有する電話端末（０３）３１Ａと、“０３”以外の市外局番を有する電話端末（０３以外）３１Ｃとの２種類であり、ＩＰゲートウェイ装置２１Ａ，２１ＢはＩＰ端末（０３担当）２２Ａが接続され、ＩＰゲートウェイ装置２１ＣはＩＰ端末（０３以外担当）２２Ｃが接続される点である。また、この実施例は、ＩＳＤＮ／ＩＰ通信装置１が図７に示す発番号−宛先検索テーブル１３１を有している点に特徴を有している。その他の点では、本実施例は、図１の実施例と略同様の構成を有しており、図１と同じ働きをする部分には、同じ符号を付してある。
【００６５】
ＩＳＤＮ／ＩＰ通信装置１がＩＰ網とＩＳＤＮ網の変換を行う。ＩＳＤＮ／ＩＰ通信装置１とＩＰゲートウェイ装置２１Ａ〜２１Ｃ間およびＩＳＤＮ／ＩＰ通信装置１とＳＩＰサーバ４間はＳＩＰプロトコルによる接続を行う。
【００６６】
ＩＳＤＮ／ＩＰ通信装置１と電話端末（０３）３１Ａ間または電話端末（０３以外）３１Ｃ間は、Ｑ９３１の回線交換手順による接続を行う。
【００６７】
図６の構成をするにあたり、構成に必要な基本情報とともにＩＳＤＮ／ＩＰ通信装置１内に発番号に対する宛先を登録部１４より登録を行う。この場合の入力方法は、パネル操作等による。登録された情報は、図７の発番号−宛先検索テーブル１３１の形で宛先変換部１３へ格納される。
【００６８】
電話端末（０３）３１Ａは、ＩＰ端末（０３担当）２２Ａと通話するにあたり、ＩＰ端末（０３担当）２２Ａを意識せずにＩＳＤＮ／ＩＰ通信装置１のＩＳＤＮ契約番号にて発信を行う。このとき、電話端末（０３）３１Ａよりの発信メッセージは、ＩＳＤＮ網３を介してＳＥＴＵＰメッセージにてＩＳＤＮ／ＩＰ通信装置１に通知される。
【００６９】
ＳＥＴＵＰメッセージを受信したＩＳＤＮ／ＩＰ通信装置１内のＩＳＤＮＩ／Ｆ部１６は、それが回線交換のメッセージであるため、レイヤ３網通信制御部１５に通知する。通知を受けたレイヤ３網通信制御部１５は、ＳＥＴＵＰメッセージ内より発番号を抽出し、その内容を含めた発信メッセージを宛先変換部１３に通知する。宛先変換部１３は、レイヤ３網通信制御部１５から通知された発番号と発番号−宛先検索テーブル内の発番号との一致検索を行う。この際、レイヤ３網通信制御部１５から通知された発番号は、先頭“０３”番号を含む発番号であるため、発番号−宛先検索テーブル１３１内の発番号０３と一致し、０３の発番号に対応したユーザーネーム“１２３”、ディスプレイネーム“４５６”、ＩＰアドレス“１９２．１６８．０．２０１”を含めた発信メッセージをＳＩＰプロトコル制御部１２へ通知する。なお、発番号−宛先検索テーブル１３１内の発番号と一致する宛先ＩＰアドレスが２つ存在することから、次回の発番号一致時における発信は、ＩＰアドレス“１９２．１６８．０．２０２”を使用するようにメモリに書き込む。発信メッセージを受信したＳＩＰプロトコル制御部１２は、通知されたユーザーネーム、ディスプレイネーム、ＩＰアドレスによりＳＩＰプロトコルのＩＮＶＩＴＥメッセージの組み立てを行い、ＩＰ網Ｉ／Ｆ部１１に通知する。通知を受けたＩＰ網Ｉ／Ｆ部１１は、ＩＮＶＩＴＥメッセージをＩＰ網２に送信する。
【００７０】
ＩＳＤＮ／ＩＰ通信装置１にから送信されたＩＮＶＩＴＥメッセージは、ＩＰゲートウェイ装置２１ＡのＩＰアドレスを示しているため、ＩＰゲートウェイ装置２１Ａにダイレクトに送信される。
【００７１】
ＩＰ網２を介してＩＳＤＮ／ＩＰ通信装置１からＩＮＶＩＴＥメッセージを受信したＩＰゲートウェイ装置２１Ａは、ＩＰ端末（０３担当）２２ＡにＩＰゲートウェイ装置とＩＰ端末（０３担当）２２Ａ間のＩ／Ｆにて着信を通知する。ＩＰゲートウェイ装置２１Ａより着信を通知されたＩＰ端末（０３担当）２２Ａは、呼び出しを開始するとともに呼び出し中を示すＡＬＥＲＴメッセージをＩＰゲートウェイ装置２１Ａに送信する。ＡＬＥＲＴメッセージは、ＩＰゲートウェイ装置２１Ａ、ＩＰ網２を介して“１８０”のメッセージにてＩＳＤＮ／ＩＰ通信装置１に送信される。
【００７２】
“１８０”のメッセージを受信したＩＳＤＮ／ＩＰ通信装置１内のＩＰ網Ｉ／Ｆ部１１は、それがＳＩＰプロトコルメッセージであるため、ＳＩＰプロトコル制御部１２に通知する。“１８０”のメッセージを受信したＳＩＰプロトコル制御部１２は、読み出しメッセージをレイヤ３網通信制御部１５へ通知し、レイヤ３網通信制御部１５は、回線交換のＡＬＥＲＴメッセージの組み立てを行い、ＩＳＤＮＩ／Ｆ部１６へ通知し、ＩＳＤＮＩ／Ｆ部１６はＡＬＥＲＴメッセージをＩＳＤＮ網３へ送信する。また、このときＩＰ網２を介して受信される呼び出し音である音声データは、ＩＰ網Ｉ／Ｆ部１１、ＩＳＤＮＩ／Ｆ部１６にて音声データと認識され、ＩＰ網Ｉ／Ｆ部１１とＩＳＤＮＩ／Ｆ部１６間にて接続される。
【００７３】
ＩＳＤＮ網３を介して送信されたＡＬＥＲＴメッセージにより電話端末（０３）３１Ａは、呼び出し中を認識することができる。
【００７４】
ＩＰ端末（０３担当）２２Ａは、応答時にＩＰゲートウェイ装置２１Ａに対してＣＯＮＮＥＣＴを送信する。その後ＡＬＥＲＴと同様にＩＰゲートウェイ装置２１Ａ、ＩＰ網２、ＩＳＤＮ／ＩＰ通信装置１、ＩＳＤＮ網３を介して電話端末（０３）３１ＡにＣＯＮＮＥＣＴが通知されてＩＰ端末（０３担当）２２Ａと電話端末（０３）３１Ａ間が通話状態となる。
【００７５】
一方、次回の電話端末（０３）３１Ａから発信の前にＩＰゲートウェイ装置２１Ｂが故障してしまった場合を想定する。前記同様に電話端末（０３）３１Ａは、ＩＰ端末（０３担当）２２Ａと通話をするにあたり、ＩＰ端末（０３担当）２２Ａを意識せずにＩＳＤＮ／ＩＰ通信装置１のＩＳＤＮ契約番号にて発信を行う。このとき、電話端末（０３）３１Ａからの発信メッセージは、ＩＳＤＮ網３を介してＳＥＴＵＰメッセージにてＩＳＤＮ／ＩＰ通信装置１に通知される。
【００７６】
前記した同様の経路を辿り、発信メッセージを通知された宛先変換部１３は、レイヤ３網通信制御部１５から通知された発番号と発番号−宛先検索テーブル１３１内の発番号との一致検索を行う。この際、レイヤ３網通信制御部１５から通知された発番号は、先頭“０３”番号を含む発番号であるため、発番号−宛先検索テーブル１３１内の発番号“０３”と一致し、“０３”の発番号に対応したユーザーネーム“１２３”、ディスプレイネーム“４５６”、ＩＰアドレスはメモリに書き込まれた“１９２．１６８．０．２０２”を含めた発信メッセージをＳＩＰプロトコル制御部１２へ通知する。なお、発番号−宛先検索テーブル１３１内の発番号と一致する宛先ＩＰアドレスが２つ存在するため、次回の発番号一致にての発信時は、ＩＰアドレス“１９２．１６８．０．２０１”を使用するようにメモリに書き込む。発信メッセージを受信したＳＩＰプロトコル制御部１２は、通知されたユーザーネーム、ディスプレイネーム、ＩＰアドレスによりＳＩＰプロトコルのＩＮＶＩＴＥメッセージの組み立てを行い、ＩＰ網Ｉ／Ｆ部１１に通知する。通知を受けたＩＰ網Ｉ／Ｆ部１１は、ＩＮＶＩＴＥメッセージをＩＰ網２に送信する。
【００７７】
ここでＩＳＤＮ／ＩＰ通信装置１により送信されたＩＮＶＩＴＥメッセージは、ＩＰゲートウェイ装置２１ＢのＩＰアドレスを示しているため、ＩＰゲートウェイ装置２１Ｂにダイレクトに送信されるが、ＩＰゲートウェイ装置２１Ｂは故障のため、ＩＳＤＮ／ＩＰ通信装置１にレスポンスが返ってこない状態となる。その場合、ＩＳＤＮ／ＩＰ通信装置１内のＳＩＰプロトコル制御部１２にてレスポンスのタイムアウトとなり、宛先変換部１３より再度発信を通知してもらう旨の要求を送信する。宛先変換部１３はユーザーネーム“１２３”、ディスプレイネーム“４５６”、ＩＰアドレスはメモリに書き込まれた“１９２．１６８．０．２０１”を含めた発信メッセージをＳＩＰプロトコル制御部１２へ通知する。なお、発番号−宛先検索テーブル１３１内の発番号と一致する宛先ＩＰアドレスが２つ存在するため、次回の発番号一致にての発信時は、ＩＰアドレス“１９２．１６８．０．２０２”を使用するようにメモリに書き込む。発信メッセージを受信したＳＩＰプロトコル制御部１２は、通知されたユーザーネーム、ディスプレイネーム、ＩＰアドレスによりＳＩＰプロトコルのＩＮＶＩＴＥメッセージの組み立てを行い、ＩＰ網Ｉ／Ｆ部１１に通知する。通知を受けたＩＰ網Ｉ／Ｆ部１１は、ＩＮＶＩＴＥメッセージをＩＰ網２に送信する。
【００７８】
ＩＰ網２を介してＩＳＤＮ／ＩＰ通信装置１からＩＮＶＩＴＥメッセージを受信したＩＰゲートウェイ装置２１ＡはＩＰ端末（０３担当）２２ＡにＩＰゲートウェイ装置２１ＡとＩＰ端末（０３担当）２２Ａ間のＩ／Ｆにて着信を通知する。その後前記同様の経路を辿り、ＩＰ端末（０３担当）２２Ａと電話端末（０３）３１Ａ間が通話状態となる。
【００７９】
なお、この実施例では、発番号に対応する宛先を２箇所としたが、それ以上登録することも可能である。また、ＳＩＰプロトコルによったタイムアウト検出により再び接続する動作を記したが、対向装置が着信拒否した場合でも同様の処理が可能である。
【図面の簡単な説明】
【００８０】
【図１】本発明の第１の実施例における発番号に対応した宛先が１箇所設定されている通信システムの構成例を説明する図。
【図２】本発明におけるＩＳＤＮ／ＩＰ通信装置の回路構成例を説明する図。
【図３】本発明の第１の実施例における発番号に対応した宛先が１箇所設定されている発番号−宛先検索テーブルの例を説明する図。
【図４】本発明の第１の実施例における接続シーケンスの態様を説明する図。
【図５】本発明の第１の実施例における接続シーケンスの他の態様を説明する図。
【図６】本発明の第２の実施例における発番号に対応した宛先が２箇所設定されている通信システムの構成例を説明する図。
【図７】本発明実施例における発番号による宛先が２箇所設定されている発番−宛先検索テーブルの例を説明する図。
【符号の説明】
【００８１】
１：ＩＳＤＮ／ＩＰ通信装置
１１：ＩＰ網Ｉ／Ｆ部
１２：ＳＩＰプロトコル制御部
１３：宛先変換部
１３１：発番号−宛先検索テーブル
１４：登録部
１５：レイヤ３網通信制御部
１６：ＩＳＤＮＩ／Ｆ部
２：ＩＰ網
２１：ＩＰゲートウェイ装置
２２Ａ：ＩＰ端末（０３担当）
２２Ｂ：ＩＰ端末（０６担当）
２２Ｃ：ＩＰ端末（０３，０６以外担当、０３以外担当）
３：ＩＳＤＮ網
３１Ａ：電話端末（０３）
３１Ｂ：電話端末（０６）
３１Ｃ：電話端末（０３，０６以外、０３以外）
４：ＳＩＰサーバ
【図１】
2006197187.tif 000003
【図２】
2006197187.tif 000004
【図３】
2006197187.tif 000005
【図４】
2006197187.tif 000006
【図５】
2006197187.tif 000007
【図６】
2006197187.tif 000008
【図７】
2006197187.tif 000009